(57)【要約】【課題】ミシン目の形成精度に関わらず、物品が確実に装着可能な物品用収納袋を提供。【解決手段】単一のシート部材が折り返されて側縁部１１、１１が互いに融着されて構成された前面側部分１２と背面側部分１３とを有し、前面側部分１２は背面側部分１３よりも短く形成され、前面側部分１２の端部は開口部１４が形成されており、背面側部分１３の上端部近傍に、ミシン目１５が形成されると共に、ミシン目１５より垂直下方へ所定距離ｍ離間して挿通孔１６が形成される物品用収納袋。【選択図】  図１
0003183485.tif 000002
【実用新案登録請求の範囲】
【請求項１】
単一のシート部材が折り返されて側縁部が互いに融着されて構成された前面側部分と背面側部分とを有し、
前記前面側部分は前記背面側部分よりも短く形成され、前記前面側部分の端部は開口部が形成されており、
前記背面側部分の上端部近傍に、ミシン目が形成されると共に、前記ミシン目より垂直下方へ所定距離離間して挿通孔が形成されることを特徴とする物品用収納袋。
【請求項２】
前記所定距離は、前記ミシン目から前記挿通孔の縁部上端までの距離であり、前記所定距離が３ｍｍであることを特徴とする物品用収納袋。
【考案の詳細な説明】
【技術分野】
【０００１】
本考案は、物品を収納する収納袋、例えば雨天時に濡れた傘を収納する傘用収納袋に関し、ホテルや店舗等の入口に設置し、顧客が手で傘を収納したり、あるいは傘袋収納装置等に用いられる収納袋に関する。
【背景技術】
【０００２】
従来の傘用収納袋２０は、図３（ａ）に示すように傘袋収納装置のハンガー３１に挿通される挿通孔２１と、挿通孔２１を横断するミシン目２３が形成されていた。傘用収納袋２０は、挿通孔２１にハンガー３１を挿通し、傘袋収納装置内に収容される。図３（ｂ）に示すように、傘用収納袋２０の開口部２２内に図示しない傘が矢印Ａ方向から挿入されることにより、ミシン目２３が切断し、傘に傘用収納袋２０が装着される。
【先行技術文献】
【特許文献】
【０００３】
【特許文献１】特開平１１−３３２６２５号公報
【考案の概要】
【考案が解決しようとする課題】
【０００４】
しかしながら、特許文献１の傘用収納袋２０は、傘が傘用収納袋２０内に完全に挿入された後、ミシン目２３が切断される状態が望ましく、ミシン目２３の形成にはかなり高度な精度が要求されるため、ミシン目の形成精度によって、傘に傘用収納袋２０を上手く装着できない不具合が生じることがある。
【０００５】
具体的には、図３（ｃ）に示すミシン目２３が弱い場合、開口部２２内に傘を挿入したとしても、ミシン目２３が切断せず、傘用収納袋２０のミシン目２３以外の箇所が切断され、途中で切断した傘用収納袋２０が傘袋収納装置に残存し、残存した傘用収納袋を除去する必要があった。ここで、ミシン目２３が弱い場合とは、ミシン目２３が不完全に形成されているため、適切なミシン目２３が形成された場合より、ミシン目２３を切断するのに大きな力が必要である場合である。
【０００６】
一方、図３（ｄ）に示すミシン目２３が強い場合、開口部２２内に傘を挿入した直後に、ミシン目２３が切断し、傘が傘用収納袋２０に完全に挿入される前に、傘収納袋２０が落下することにより、傘に傘収納袋２０を装着できず、再度装着し直さなければならなかった。ここで、ミシン目２３が強い場合とは、ミシン目２３が必要以上に形成されているため、適切なミシン目２３が形成された場合より、小さな力であってもミシン目２３が切断される場合である。
【０００７】
本考案は上記課題に鑑み提案するものであって、ミシン目の形成精度に関わらず、物品を確実に装着可能な物品用収納袋を提供することを目的とする。
【課題を解決するための手段】
【０００８】
本考案の物品用収納袋は、単一のシート部材が折り返されて側縁部が互いに融着されて構成された前面側部分と背面側部分とを有し、前記前面側部分は前記背面側部分よりも短く形成され、前記前面側部分の端部は開口部が形成されており、前記背面側部分の上端部近傍に、ミシン目が形成されると共に、前記ミシン目より垂直下方へ所定距離離間して挿通孔が形成されることを特徴とする。
前記構成により、ミシン目の形成精度に関わらず、物品を物品用収納袋に装着できる。ミシン目の形成に高度な精度が要求されないため、製造コストを低減することができる。
【０００９】
また、本考案の物品用収納袋は、前記所定距離は、前記ミシン目から前記挿通孔の縁部上端までの距離であり、前記所定距離が３ｍｍであることを特徴とすることを特徴とする。
前記構成により、物品を物品用収納袋により確実に装着することができる。なお、本考案の物品用収納袋は、ポリエチレン製である。
【考案の効果】
【００１０】
本考案の物品用収納袋は、背面側部分の上端部近傍に、ミシン目が形成されると共に、ミシン目より垂直下方へ所定距離離間して挿通孔が形成されているため、ミシン目の形成精度に関わらず、物品を物品用収納袋に装着できる。また、ミシン目の形成に高度な精度が要求されず、製造コストを低減することが実現できる。
【図面の簡単な説明】
【００１１】
【図１】（ａ）は本考案の実施形態の物品用収納袋の正面図、（ｂ）は同図（ａ）の断面図。
【図２】（ａ）〜（ｃ）は図１の物品用収納袋の開口部に物品が挿入された状態を示す説明図。
【図３】（ａ）は従来の実施形態の傘用収納袋の正面図、（ｂ）は同図（ａ）の傘用収納袋の開口部に傘が挿入された状態を示す説明図、（ｃ）は同図（ａ）の傘用収納袋のミシン目が弱い状態を示す説明図、（ｄ）は同図（ａ）の傘用収納袋のミシン目が強い状態を示す説明図。
【考案を実施するための形態】
【００１２】
本考案による実施形態の物品用収納袋１０について説明する。図１（ａ）は本考案の実施形態の物品用収納袋の正面図、図１（ｂ）は本考案の実施形態の物品用収納袋の断面図である。図２（ａ）〜（ｃ）は図１の物品用収納袋の開口部に物品が挿入された状態を示す説明図である。
【００１３】
図１（ａ）、（ｂ）に示す通り、本考案による実施形態の物品用収納袋１０は、ポリエチレン製の単一のシート部材が折り返されて側縁部１１、１１が互いに融着されて構成された前面側部分１２と背面側部分１３とを有し、前面側部分１２は背面側部分１３よりも短く形成され、前面側部分１２の端部は開口部１４が形成されており、背面側部分１３の上端部近傍に、ミシン目１５が形成されると共に、ミシン目１５より垂直下方へ所定距離ｍ離間して挿通孔１６が形成される。なお、背面側部分１３のミシン目１５よりも更に上端部近傍に、物品用収納袋を束ねるための孔１７を形成すると、物品用収納袋の運搬に好適である。
【００１４】
所定距離ｍは、ミシン目１５から挿通孔１６の縁部上端までの距離であり、所定距離ｍは３ｍｍとすると好適である。
【００１５】
ミシン目１５は、孔１７に糸などを通し、物品用収納袋１０を束ねて運搬するために必要であるため、高度な精度は要求されるものではない。
【００１６】
挿通孔１６に傘袋収納装置のハンガー３１が挿通することにより、物品用収納袋１０が傘袋収納装置に収容される。
【００１７】
先ず、図２（ａ）に示すように図示しない傘が矢印Ｂ方向から物品用収納袋１０の開口部１４へ挿入されると、物品用収納袋１０は下方へ移動し始めるが、挿通孔１６にハンガー３１が挿通されているため、ミシン目１５と挿通孔１６との間の切断部１８は下方へ移動せず、ミシン目１５が切断し始めると共に、切断部１８は伸長し始める。
【００１８】
次に、図１（ｂ）に示すように傘が物品用収納袋１０の開口部１４内にさらに挿入されるにつれて、ミシン目１５の切断が進み、切断部１８はさらに伸長する。
【００１９】
そして、図１（ｃ）に示すように傘が物品用収納袋１０内に完全に挿入されると、切断部１８が切断される。
【００２０】
切断部１８が切断されることにより、物品用収納袋１０が傘に装着される。換言すれば、傘が物品用収納袋１０内に収納される。
【００２１】
〔実施形態の変形例等〕
本明細書開示の考案は、各考案や実施形態の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものを包含する。
【００２２】
本実施形態では、所定距離ｍを３ｍｍと設定したが、物品用収納袋の材質、又は厚みによって適宜変更可能である。
【００２３】
本実施形態では、傘を収納する傘用収納袋について説明したが、傘以外の物品、例えば、菓子類、野菜、又は小物類を収納することが可能である。
【産業上の利用可能性】
【００２４】
本考案は、物品を収納する収納袋に利用することができる。
【符号の説明】
【００２５】
１０…物品用収納袋  １１…側縁部  １２…前面側部分  １３…反面側部分  １４、２２…開口部  １５、２３…ミシン目  １６、２１…挿通孔  １７…孔  １８…切断部  ２０…傘用収納袋  ３１…ハンガー  ｍ…所定距離
【図１】
0003183485.tif 000003
【図２】
0003183485.tif 000004
【図３】
0003183485.tif 000005
【手続補正書】
【提出日】平成25年3月13日(2013.3.13)
【手続補正１】
【補正対象書類名】実用新案登録請求の範囲
【補正対象項目名】全文
【補正方法】変更
【補正の内容】
【実用新案登録請求の範囲】
【請求項１】
単一のシート部材が折り返されて側縁部が互いに融着されて構成された前面側部分と背面側部分とを有し、
前記前面側部分は前記背面側部分よりも短く形成され、前記前面側部分の端部は開口部が形成されており、
前記背面側部分の上端部近傍に、ミシン目が形成されると共に、前記ミシン目より垂直下方へ所定距離離間して挿通孔が形成されることを特徴とする物品用収納袋。
【請求項２】
前記所定距離は、前記ミシン目から前記挿通孔の縁部上端までの距離であり、前記所定距離が３ｍｍであることを特徴とする請求項１記載の物品用収納袋。